(57)【要約】【課題】  支持トレイに支持されたディスクの振れを防止でき、しかもディスクの振れを防止する手段によって、支持トレイの選択動作などを妨げることのないディスク収納型ディスク装置を提供することを目的とする。【解決手段】  支持トレイ２１に第１の支持片２１１が設けられ、第１の支持片２１１が、その上方に隣接するディスクＤの外周部を支持する。これにより、ディスクＤの外周部分が下方へ傾くことを抑制できる。また、選択位置（ａ）よりも上方及び下方では、第１の支持片２１１が下方に撓み、この撓みにより、下方に隣接するディスクＤが、保持爪によってより強固に保持される。これに加えて、ディスクＤの外周部が第１の支持片２１１によって支持されるため、外部から振動が加えられた場合でも、ディスクＤは確実に保持固定されており、ディスクＤが上下方向に振動して、ラットルノイズが発生することを防止できる。【選択図】図７
2007102906.tif 000002
【特許請求の範囲】
【請求項１】
ディスクを支持する支持面とこれと逆側の対向面を有する支持トレイと、前記支持面に支持されたディスクを保持する保持部材と、ディスクの厚み方向へ並べられた複数の前記支持トレイを前記厚み方向へ移動させていずれかの支持トレイを選択位置に設置する支持トレイ選択手段と、回転駆動部を有する駆動ユニットと、前記駆動ユニットを、支持トレイに支持されたディスクの外周縁よりも外側の退避位置から、選択位置にある支持トレイに支持されているディスクを駆動できる駆動位置へ移動させる駆動部材とが設けられ、
前記支持トレイには、前記対向面から隣接する他の支持トレイに向けて延びる弾性変形可能な支持片が設けられており、この支持片によって、隣接する他の支持トレイに支持されたディスクを支持可能とされていることを特徴とするディスク収納型ディスク装置。
【請求項２】
前記支持片は前記支持トレイの一部が曲げられて形成されている請求項１記載のディスク収納型ディスク装置。
【請求項３】
前記支持片によって、隣接する他の支持トレイに支持されたディスクの前記支持トレイから突出する部分を支持可能である請求項１または２記載のディスク収納型ディスク装置。
【請求項４】
前記支持片の先部に、他の支持トレイに向けて折り曲げられた折曲部が形成されており、この折曲部が、隣接する他の支持トレイに支持されているディスクの外周縁に対向可能である請求項３記載のディスク収納型ディスク装置。
【請求項５】
選択位置にある選択支持トレイと、選択支持トレイの支持面側に隣接する第１の隣接支持トレイとの間に、駆動位置へ移動した駆動ユニットが設置される第１の空間が形成され、選択支持トレイと、選択支持トレイの対向面側に隣接する第２の隣接トレイとの間に第２の空間が形成されて、第２の空間の間隔が前記第１の空間の間隔よりも狭く設定されており、選択支持トレイに設けられた支持片によって、第２の隣接支持トレイに保持されたディスクが支持される請求項１ないし４のいずれかに記載のディスク収納型ディスク装置。
【請求項６】
前記支持片が、他の支持トレイに対向する位置に設けられており、この支持片により、隣接する他の支持トレイに支持されたディスクを、前記隣接する他の支持トレイの支持面に押し付けることが可能とされている請求項１または２記載のディスク収納型ディスク装置。
【請求項７】
選択位置にある選択支持トレイと、この選択支持トレイの支持面側に対向する隣接支持トレイとの間に、駆動位置へ移動した駆動ユニットが設置される空間が形成されており、前記選択支持トレイと、前記選択支持トレイに隣接する支持トレイとの対向部分以外では、支持トレイどうしの間隔が前記空間の間隔よりも狭く設定されており、前記支持片によって、前記狭い間隔で対向するディスクが押圧される請求項６記載のディスク収納型ディスク装置。
【請求項８】
前記支持片は、前記駆動ユニットが前記退避位置から前記駆動位置に移動するときに、この駆動ユニットの移動範囲から外れる位置に設けられている請求項１ないし７のいずれかに記載のディスク収納型ディスク装置。
【発明の詳細な説明】
【技術分野】
【０００１】
本発明は、筐体内に複数枚のディスクがその厚み方向へ重ねられて収納され、いずれかのディスクが選択されて駆動されるディスク収納型ディスク装置に関する。
【背景技術】
【０００２】
下記の特許文献１には、複数枚のディスクの中から再生するディスクを選択するディスクチェンジャ装置が開示されている。
【０００３】
このディスクチェンジャ装置では、複数枚のトレイがその厚み方向へ並べられており、個々のトレイにディスクが収納可能である。いずれかのトレイが選択されて、ディスク挿排位置（ディスクが再生可能な高さ位置）に移動させられると、選択されたトレイとそのトレイよりも上方に位置するトレイとの間の間隔が広げられる。
【０００４】
このとき、選択されたトレイよりも上方に位置するトレイは、ディスク挿排位置よりも上方に位置するため、そのトレイに収納されているディスクの中心穴内に、筐体の上板から下方に向けて突出するＪ字形状のディスク規制体（特許文献１の図２０参照）が進入して、上方に位置するディスクの移動が規制される。
【０００５】
また、再生可能な高さ位置にあるトレイに収納されたディスクは、ディスク規制体によっては規制されず、このディスクが排出方向へ引き出されてターンテーブルに設置され回転駆動可能となる。
【特許文献１】特開２００４−６３０１７号公報
【発明の開示】
【発明が解決しようとする課題】
【０００６】
前記特許文献１に記載されているディスクチェンジャ装置に設けられた個々のトレイは半円環状であり、ディスクは、その重心がトレイから外れた状態で収納されている。そのため、ディスク挿排位置よりも上方に位置するトレイに収納されているディスクの中心穴が、ディスク規制体によって規制されているときに、このディスクのディスク排出方向に向く先端部分が下方へ傾きやすくなる。その結果、ディスク挿排位置に位置しているディスクを、排出方向に対向しているターンテーブルに向けて移動させるときに、移動するディスクが、その上方において傾いているディスクと接触しやすい。
【０００７】
また、ディスク挿排位置よりも上方に位置するトレイに収納されているディスクは、ディスク規制体により中心穴が支持されているだけであるため、例えば車載用のディスクチェンジャ装置の場合に、車体振動が作用すると、ディスク規制体で規制されているディスクが上下に振れて、ラットルノイズを発生しやすい。
【０００８】
本発明は上記従来の課題を解決するものであり、支持トレイに支持されたディスクの振れを防止でき、しかもディスクの振れを防止する手段によって、支持トレイの選択動作などを妨げることのないディスク収納型ディスク装置を提供することを目的としている。
【課題を解決するための手段】
【０００９】
本発明は、ディスクを支持する支持面とこれと逆側の対向面を有する支持トレイと、前記支持面に支持されたディスクを保持する保持部材と、ディスクの厚み方向へ並べられた複数の前記支持トレイを前記厚み方向へ移動させていずれかの支持トレイを選択位置に設置する支持トレイ選択手段と、回転駆動部を有する駆動ユニットと、前記駆動ユニットを、支持トレイに支持されたディスクの外周縁よりも外側の退避位置から、選択位置にある支持トレイに支持されているディスクを駆動できる駆動位置へ移動させる駆動部材とが設けられ、
前記支持トレイには、前記対向面から隣接する他の支持トレイに向けて延びる弾性変形可能な支持片が設けられており、この支持片によって、前記他の支持トレイに支持されたディスクを支持可能とされていることを特徴とするものである。
【００１０】
このディスク収納型ディスク装置では、支持トレイの対向間隔が狭いときに、支持トレイに設けられた支持片によってディスクが押さえられるため、ディスクのがたつきを防止でき、ラットルノイズを低減しやすい。また、選択された支持トレイとこの支持トレイの支持面に対向する他の支持トレイとの間隔が広げられたときには、駆動ユニットが支持片に邪魔されることなく前記間隔内を移動して駆動位置に設定することができる。
【００１１】
なお、駆動ユニットは、以下の実施の形態に示すように、回動動作によって退避位置と駆動位置との間で移動するものであってもよいし、直線軌跡に沿って移動して退避位置と駆動位置との間を移動するものであってもよい。
【００１２】
例えば、本発明は、前記支持片は前記支持トレイの一部が曲げられて形成されているものである。ただし、支持片が支持トレイと別体の板ばね材料などで形成されており、この支持片が支持トレイの対向面に固定されているものであってもよい。
【００１３】
本発明では、前記支持片によって、隣接する他の支持トレイに支持されたディスクの前記支持トレイから突出する部分を支持可能である。
【００１４】
例えば、前記支持片の先部に、他の支持トレイに向けて折り曲げられた折曲部が形成されており、この折曲部が、隣接する他の支持トレイに支持されているディスクの外周縁に対向可能である。
【００１５】
上記のように、支持トレイから突出する部分でディスクが支持されていると、ディスクのがたつきを防止でき、ラットルノイズの発生を効果的に抑制できる。
【００１６】
また、本発明は、選択位置にある選択支持トレイと、選択支持トレイの支持面側に隣接する第１の隣接支持トレイとの間に、駆動位置へ移動した駆動ユニットが設置される第１の空間が形成され、選択支持トレイと、選択支持トレイの対向面側に隣接する第２の隣接トレイとの間に第２の空間が形成されて、第２の空間の間隔が前記第１の空間の間隔よりも狭く設定されており、選択支持トレイに設けられた支持片によって、第２の隣接支持トレイに保持されたディスクが支持されるものとして構成できる。
【００１７】
また、本発明は、前記支持片が、他の支持トレイに対向する位置に設けられており、この支持片により、隣接する他の支持トレイに支持されたディスクを、前記隣接する他の支持トレイの支持面に押し付けることが可能とされているものであってもよい。
【００１８】
支持片によって、ディスクが支持トレイの支持面に押し付けられるため、支持トレイでディスクを安定して保持することができる。
【００１９】
この場合、選択位置にある選択支持トレイと、この選択支持トレイの支持面側に対向する隣接支持トレイとの間に、駆動位置へ移動した駆動ユニットが設置される空間が形成されており、前記選択支持トレイと、前記選択支持トレイに隣接する支持トレイとの対向部分以外では、支持トレイどうしの間隔が前記空間の間隔よりも狭く設定されており、前記支持片によって、前記狭い間隔で対向するディスクが押圧されるものとして構成できる。
【００２０】
また、本発明では、前記支持片は、前記駆動ユニットが前記退避位置から前記駆動位置に移動するときに、この駆動ユニットの移動範囲から外れる位置に設けられていることが好ましい。
【発明の効果】
【００２１】
本発明のディスク収納型ディスク装置では、支持トレイに保持されたディスクががたつくことを防止でき、外部振動が作用したときの、ディスクの振れによるノイズを低減できる。
【発明を実施するための最良の形態】
【００２２】
図１は、本発明の１実施の形態のディスク収納型ディスク装置を筐体の前面から見た正面図であり、（Ａ）は主に筐体内の移送ユニットを示し、（Ｂ）は主に支持トレイと支持トレイ選択手段および駆動ユニットを示すものである。図２は支持トレイを示すものであり、（Ａ）は平面図、（Ｂ）は（Ａ）に示す支持トレイをＢ方向から見たときの側面図、図３と図４は、筐体内に設けられたユニット支持ベースと駆動ユニットを示す透視平面図、図５は支持トレイにディスクが搬入される動作を示す透視平面図、図６は支持トレイにディスクが保持された状態を示す透視平面図である。図７と図８は、支持トレイに設けられた支持片によるディスクの支持機能を説明するものであり、図７は図６のＶＩＩの部分側面図、図８は図６のＶＩＩＩ矢視の側面図、図９は第１の支持片の変形例を示す側面図である。
【００２３】
実施の形態のディスク収納型ディスク装置１は、箱型の筐体２を有している。筐体２は、図１（Ａ）（Ｂ）に示す前面３と底面８および天井面９と、図３などに示す後側面４と右側面５および左側面６を有している。前面３にはスリット状の挿入口１１が開口しており、ディスクＤはこの挿入口１１から筐体内に挿入される。
【００２４】
図５と図６に示すように、筐体２内では、後側面４と左側面６および底面８と天井面９で囲まれた領域がディスク収納領域２０となっている。
【００２５】
図１（Ｂ）および図５と図６に示すように、ディスク収納領域２０では、天井面９に３本の選択軸３１，３２，３３が回転自在に支持されており、それぞれの選択軸３１，３２，３３の下端は、筐体２の底面８に接する長さを有している。
【００２６】
図１（Ｂ）および図７に示すように、それぞれの選択軸３１，３２，３３の外周面にはスパイラル状の選択溝３５が形成されている。選択溝３５のスパイラル形状は、選択軸３１，３２，３３の上方が密ピッチ部３５ａで、下方が密ピッチ部３５ｂとなっている。上方の密ピッチ部３５ａと下方の密ピッチ部３５ｂでは、選択溝３５が短ピッチで形成され、上方の密ピッチ部３５ａと下方の密ピッチ部３５ｂでは、選択溝３５が少なくとも５周（５ピッチ）以上形成されている。選択軸３１，３２，３３の中間部では選択溝３５が疎ピッチ部３５ｃとなっており、この疎ピッチ部３５ｃでは、上方の密ピッチ部３５ａと下方の密ピッチ部３５ｂの間で、選択溝３５が１ピッチ分だけ形成されている。
【００２７】
各選択軸３１，３２，３３の上端には、小歯車が一体に設けられ、天井面９の内面にはリング状歯車が設けられ、それぞれの小歯車がリング状歯車に噛み合っている。図１（Ｂ）に示すように、天井面９には、駆動軸３６ａが回転自在に支持され、駆動軸３６ａの下端には伝達歯車３６ｂが一体に形成され、上端には薄型歯車３６ｃが一体に形成されて、この薄型歯車が前記リング状歯車に噛み合っている。図示しない選択モータの動力が伝達歯車３６ｂに与えられると、薄型歯車３６ｃによって前記リング状歯車が回転駆動され、このリング状歯車によって、全ての選択軸３１，３２，３３が同期して回転させられる。この実施の形態では、各選択軸３１，３２，３３とリング状歯車および伝達歯車３６ｂなどによって、支持トレイ選択機構が構成されている。
【００２８】
ディスク収納領域２０には、それぞれがディスクＤを支持可能な複数の支持トレイ２１が設けられている。この実施の形態では、支持トレイ２１が６枚設けられており、支持トレイ２１は厚み方向に重ねられて配置されている。それぞれの支持トレイ２１は、ステンレス鋼帯（ＳＵＳ３０４ＣＳＰ）等の弾性変形可能な金属板で形成されている。図２（Ａ）および図５と図６に示すように、それぞれの支持トレイ２１は、筐体２の左側面６にほぼ平行に対向する左側縁２１ｂと、筐体２の後側面４にほぼ平行に対向する後縁２１ｃを有している。支持トレイ２１の筐体２の内方へ向けられる内縁２１ａは凹曲線形状である。
【００２９】
それぞれの支持トレイ２１には、そのＸ１側の端部で且つＹ１側の端部に、軸受２５Ａが固定されている。また、それぞれの支持トレイ２１のＸ２側の端部で且つＹ２側の端部に軸受２５Ｂが固定され、左側縁２１ｂと後縁２１ｃとの角部の内側には、それぞれの支持トレイ２１に軸受２５Ｃが固定されている。軸受２５Ａは、選択軸３１の外周に挿通され、軸受２５Ｂは選択軸３２の外周に挿通され、軸受２５Ｃは選択軸３３の外周に挿通されている。
【００３０】
それぞれの軸受２５Ａ，２５Ｂ，２５Ｃの内側には掛止部が一体に突出形成されており、この掛止部が、選択軸３１，３２，３３のそれぞれの外周に形成された選択溝３５に摺動自在に掛止されている。これにより、６枚の支持トレイ２１は選択溝３５の隣接するピッチのそれぞれに掛止されている。選択軸３１，３２，３３が、図６において反時計方向へ回転すると、支持トレイ２１が選択軸３１，３２，３３に沿って１枚ずつ下向きに送られ、選択軸３１，３２，３３が時計方向へ回転すると、支持トレイ２１が選択軸３１，３２，３３に沿って１枚ずつ上向きに送られる。そして、選択溝３５の疎ピッチ部３５ｃに掛止されているいずれかの支持トレイ２１が、図１（Ｂ）および図７に示す選択位置（ａ）に至り、選択位置（ａ）にある支持トレイ２１と、その下方の密ピッチ部３５ｂに位置する支持トレイ２１との間隔が広げられる。
【００３１】
図１（Ｂ）に示すように選択位置（ａ）に至った支持トレイ２１は、挿入口１１と同じ高さに設置される。
【００３２】
図２（Ｂ）に示すように、支持トレイ２１は、Ｚ２方向に向く下面が支持面２１ｅであり、Ｚ１方向に向く上面が対向面２１ｆである。それぞれの支持トレイ２１では、ディスクＤが支持トレイ２１の支持面２１ｅに設置される。図２（Ａ）では、支持トレイ２１の支持面２１ｅにおいてディスクＤが当接する支持領域Ｒを、理解しやすいようにハッチングを付して示している。
【００３３】
図２（Ａ）（Ｂ）に示すように、支持トレイ２１には、第１の支持片２１１と第２の支持片２１２が一体に形成されている。図２（Ｂ）に示すように、第１の支持片２１１と第２の支持片２１２は、支持トレイ２１の対向面２１ｆから上方（Ｚ１方向）へ向けて延びるように折り曲げ形成されている。
【００３４】
第１の支持片２１１は、支持トレイ２１の支持領域Ｒから外方へ向けて延び出ている。第１の支持片２１１は支持領域Ｒとの境界である折り曲げ基部２１１ａから先端に向かうにしたがって幅寸法が徐々に狭くなるように細長に形成されている。第１の支持片２１１の先部には、上方（Ｚ１方向）に向けて折り曲げられた折曲部２１１ｂが形成されている。図２（Ｂ）に示すように、この支持トレイ２１の上側に位置する他の支持トレイ２１に支持されているディスクＤの外周部分に第１の支持片２１１が当たることができ、且つ折曲部２１１ｂが上方に位置するディスクＤの外周縁に対向できる。そして、この対向状態で、折曲部２１１ｂが、ディスクＤの外周縁に接触し、又はわずかな隙間を空けて対面することが可能である。
【００３５】
第２の支持片２１２は、支持トレイ２１の支持領域Ｒ内に位置している。支持領域Ｒ内で支持トレイ２１に切欠き部２１ｇが形成されており、この切欠き部２１ｇ内において、支持トレイ２１と一体に第２の支持片２１２が形成されている。第２の支持片２１２は、折り曲げ基部２１２ａから先部２１２ｂに向けて幅寸法が徐々に狭くなる細長形状である。選択溝３５の上方の密ピッチ部３５ａまたは下方の密ピッチ部３５ｂに位置する支持トレイ２１は互いに接近するが、このとき、第２の支持片２１２によって、その上に位置する支持トレイ２１に支持されているディスクＤが上方へ押圧されて、支持トレイ２１の支持面２１ｅに押し付けられる。
【００３６】
図２（Ｂ）に示すように、第１の支持片２１１と第２の支持片２１２は、支持トレイ２１の対向面２１ｆから上方へ突出しており、且つそれぞれの先部が対向面２１ｆに接近する方向へ弾性変形可能である。第１の支持片２１１と第２の支持片２１２に力が作用していない状態で、対向面２１ｆから第１の支持片２１１の折曲部２１１ｂの折り曲げ基端までの高さ寸法はｈ１で、対向面２１ｆから第２の支持片２１２の先端までの高さ寸法がｈ２であり、高さ寸法ｈ１はｈ２よりも大きく設定されている。
【００３７】
第１の支持片２１１と第２の支持片２１２は支持トレイ２１から一体に折り曲げ形成されているため、第１の支持片２１１と第２の支持片２１２のための、支持トレイ２１とは別個の部材が不要となり、部品点数を削減することができる。ただし、本発明では、第１の支持片２１１と第２の支持片２１２とが、支持トレイ２１と別体の部品で構成され、支持トレイ２１の対向面２１ｆに溶接などの手段で固定されたものであってもよい。
【００３８】
図５と図６に示すように、ぞれぞれの支持トレイ２１では、軸受２５Ａの外周に保持部材２２が回動自在に支持されており、この保持部材２２には、保持爪２２ａが形成されている。軸受２５Ｂの外周には保持部材２３が回動自在に支持されており、この保持部材２３に保持爪２３ａが形成されている。また軸受２５Ｃの外周には保持部材２４が回動自在に支持されており、この保持部材２４に保持爪２４ａが一体に形成されている。
【００３９】
保持部材２２と支持トレイ２１との間には引っ張りコイルばね２６ａが掛けられており、保持部材２２は反時計方向へ付勢されている。保持部材２２は図６に示すように反時計方向へ回動させられたときに保持位置となり、支持トレイ２１と保持爪２２ａとの間でディスクＤを保持できるようになる。保持部材２３と支持トレイ２１との間には引っ張りコイルばね２６ｂが掛けられており、保持部材２３は時計方向へ回動したときに保持位置となり、保持爪２３ａと支持トレイ２１との間で、ディスクＤを保持可能である。
【００４０】
保持部材２４と支持トレイ２１との間には引っ張りコイルばね２６ｃが掛けられており、保持部材２４は時計方向へ付勢されている。図５では、保持部材２４が時計方向へ最も回動しており、図６に示すように支持トレイ２１にディスクＤが保持されていると、保持部材２４がディスクＤの外周縁に押されて反時計方向へわずかに回動する。図６に示すときに保持部材２４は保持位置であり、保持爪２４ａと支持トレイ２１との間でディスクＤを保持可能である。
【００４１】
筐体２の後側面４と左側面６との角部には、装填検知部２８が設けられている。この装填検知部２８は、発光素子と受光素子とが対向しており、図５に示すように、選択位置（ａ）に至った支持トレイ２１がディスクＤを保持していないと、保持部材２４に設けられた検知部２４ｂが受光素子と発光素子との間に入り、装填検知部２８の検知出力がＯＦＦである。図６に示すように、支持トレイ２１にディスクＤが保持されているときは、保持部材２４がディスクＤの外周縁に押されてわずかに反時計方向へ回動するため、検知部２４ｂが装填検知部２８から抜け出て、検知出力がＯＮになる。
【００４２】
図５と図６に示すように、筐体２の左側面６の内側には第１の保持解除部材３７が設けられている。この第１の保持解除部材３７がＹ２方向へ移動すると、この第１の保持解除部材３７によって保持部材２２が時計方向へ回動させられ、保持爪２２ａがディスクＤの外周縁の外側に移動して保持解除位置となる。後側面４の内側には第２の保持解除部材３８が設けられている。この第２の保持解除部材３８がＸ１方向へ移動すると、第２の保持解除部材３８によって保持部材２３と保持部材２４が反時計方向へ回動させられ、保持爪２３ａ，２４ａがディスクの外周縁の外側へ移動して保持位置となる。
【００４３】
前記ディスクＤは、直径が１２ｃｍであり、例えばＣＤ（コンパクト・ディスク）、ＣＤ−ＲＯＭ、ＤＶＤ（ディジタル・バーサタイル・ディスク）などである。
【００４４】
図３と図４に示すように、筐体２内にはユニット支持ベース４１が設けられている。このユニット支持ベース４１は、前面３の内側から右側面５の内側にわたって延びる形状である。ユニット支持ベース４１の筐体２の内方に向く縁部４１ａは凹曲線形状であり、ディスク収納領域２０内の各支持トレイ２１に保持されたディスクＤは、その外周縁が前記縁部４１ａよりもやや内側に位置している。
【００４５】
筐体２の底面８上には、弾性支持部材であるダンパー４８が複数固定されている。このダンパー４８は、ゴムなどの可撓性の袋体の内部に、オイルなどの液体または気体が封入されているものである。あるいは前記袋体と共に圧縮コイルスプリングが組み合わされているものである。ユニット支持ベース４１には複数の支持軸４２が下向きに固定されており、それぞれの支持軸４２が前記ダンパー４８に支持されている。
【００４６】
ユニット支持ベース４１には、Ｙ２方向へ突出する拘束軸４３とＹ１方向へ突出する一対の拘束軸４４，４４が設けられている。筐体２の後側面４の内側にはＸ１−Ｘ２方向へ移動する拘束部材４５が設けられ、前面３の内側にはＸ１−Ｘ２方向へ移動する拘束部材４６が設けられている。拘束軸４３は拘束部材４５に保持され、拘束軸４４，４４は拘束部材４６に保持されている。
【００４７】
図１（Ｂ）に示すように、拘束部材４６には一対の拘束穴４７，４７が開口している。それぞれの拘束穴４７は、Ｘ１側に延びる下降拘束部４７ａと、この下降拘束部４７ａよりも上方に位置する持ち上げ部４７ｂと、持ち上げ部４７ｂよりもＸ２側に位置して大きな開口面積を有する逃げ部４７ｃとを有している。前記拘束軸４４，４４は、それぞれ拘束穴４７，４７内に挿入されている。また、後側面４の内側に位置する拘束部材４５にも同様の拘束穴が形成されており、拘束軸４３はこの拘束穴内に挿入されている。
【００４８】
図１（Ｂ）に示すように、拘束部材４６がＸ２方向へ移動していると、拘束軸４４，４４は前記下降拘束部４７ａ，４７ａに保持され、ダンパー４８が押しつぶされてユニット支持ベース４１が下降させられ、このユニット支持ベース４１の上に支持されている駆動ユニット５０も下降させられている。図１（Ｂ）に示すように、このとき駆動ユニット５０は、挿入口１１から挿入されるディスクＤの下面よりもさらに下方に位置している。
【００４９】
図３と図４に示すように、ユニット支持ベース４１上には駆動ユニット５０が支持されている。駆動ユニット５０は、細長い駆動ベース５１を有している。この駆動ベース５１の後端５１ｂに近い位置で且つ左側面５１ａに近い位置に、支持軸５２が下向きに固定されており、この支持軸５２が、前記ユニット支持ベース４１に回動自在に支持されている。図３では、駆動ユニット５０は、ユニット支持ベース４１に右側部の上に載置されて、ディスク収納領域２０内のディスクＤの外周縁から離れた退避位置にある。図４では、駆動ユニット５０が前記退避位置からＸ−Ｙ平面に沿って時計方向へ回動して駆動位置に設置されている。駆動位置にある駆動ユニット５０は、ディスク収納領域２０内において選択位置（ａ）の支持トレイ２１に保持されたディスクＤとその下に位置するディスクＤとの間に入り込む。
【００５０】
駆動ユニット５０では、駆動ベース５１の自由端側に位置する前端５１ｃの内側に回転駆動部５３が設けられている。この回転駆動部５３は、前記駆動ベース５１の上に固定されたスピンドルモータ５４（図１（Ｂ）および図７参照）と、このスピンドルモータ５４の駆動軸５４ａに固定されたターンテーブル５５とを有している。ターンテーブル５５はフランジ部５５ａと、このフランジ部５５ａの中心部から上方へ突出する凸部５５ｂとを有している。
【００５１】
ターンテーブル５５内にはクランプ機構が設けられている。このクランプ機構は凸部５５ｂの外周から放射状に突出するクランプ爪５５ｃ（図７参照）を有している。クランプ爪５５ｃが凸部５５ｂ内に退行するとクランプ機構は非クランプ状態となり、凸部５５ｂがディスクＤの中心穴Ｄａ内に入り込むことができる。凸部５５ｂがディスクＤの中心穴Ｄａ内に下から入り込み、クランプ爪５５ｃが突出すると、ディスクＤの中心穴Ｄａの周囲部分が、フランジ部５５ａとクランプ爪５５ｃとで挟持されて、クランプ機構はクランプ状態となる。
【００５２】
駆動ユニット５０の駆動ベース５１上には光ヘッド５６が設けられている。この光ヘッド５６は、ターンテーブル５５にクランプされたディスクＤの記録面に対向する対物レンズ５６ａを有している。また光ヘッド５６内には、対物レンズ５６ａへ検知光（レーザービーム）を与える発光素子、ディスクの記録面から反射され対物レンズ５６ａを経て戻った光を検知する受光素子などが内蔵されている。
【００５３】
駆動ベース５１上には、その右側面５１ｄに沿って延びるガイド部材５７が固定されているとともに、左側面５１ａに沿って延びる送りスクリュー軸５８が回動自在に支持されている。ガイド部材５７と送りスクリュー軸５８は互いに平行に延びている。光ヘッド５６には摺動部５６ｂが設けられ、この摺動部５６ｂがガイド部材５７に摺動自在に支持されている。光ヘッド５６には係合部５６ｃが設けられ、この係合部５６ｃが、送りスクリュー軸５８のスクリュー溝に係合されている。よって、光ヘッド５６は、送りスクリュー軸５８の回転力により、図４と図５に示すように、ターンテーブル５５から離れた外周側位置と、ターンテーブル５５に接近する外周側位置との間で移動させられる。
【００５４】
駆動ベース５１にはスレッドモータ５９が搭載されている。スレッドモータ５９はパルスモータなどのステッピングモータである。前記送りスクリュー軸５８は、スレッドモータ５９の回転軸と一体に形成されている。または送りスクリュー軸５８は、スレッドモータ５９の回転軸にジョイントを介して直接に連結されている。
【００５５】
図３と図４に示すように、ユニット支持ベース４１には円弧案内穴４１ｂが上下に貫通して形成されている。この円弧案内穴４１ｂの幅中心の円弧軌跡の曲率中心は、前記支持軸５２の軸芯に一致している。駆動ベース５１の後端５１ｂ側の下端には駆動軸６１が固定されており、この駆動軸６１が前記円弧案内穴４１ｂ内に摺動自在に挿入され、駆動軸６１はユニット支持ベース４１の下方へ突出している。
【００５６】
ユニット支持ベース４１の下面には、駆動部材６２がＹ１−Ｙ２方向へ摺動自在に支持されている。図４に示すように、駆動部材６２には駆動長穴６２ａと逃げ部６２ｂとが連続して形成されている。筐体２の底面８の上面にはモータの動力で駆動される駆動機構が設けられ、この駆動機構に設けられた駆動ピン６３が前記駆動長穴６２ａおよび逃げ部６２ｂ内に挿入されている。この実施の形態では、駆動部材６２と駆動ピン６３および前記駆動機構によってユニット駆動部が構成されている。
【００５７】
駆動ユニット５０の駆動ベース５１に設けられた前記駆動軸６１は、駆動部材６２によって動作させられるものであり、駆動ピン６３が駆動長穴６２ａ内に入った状態で、この駆動ピン６３で駆動部材６２がＹ２方向へ移動させられていると、駆動部材６２によって駆動軸６１がＹ２方向へ押され、図３に示すように、駆動ユニット５０が退避位置へ回動させられる。駆動ピン６３によって駆動部材６２がＹ１方向へ移動させられると、図４に示すように、駆動部材６２により駆動軸６１がＹ１方向へ押されて円弧案内穴４１ｂに沿って時計方向へ回動し、駆動ユニット５０が図４に示す駆動位置へ回動する。さらに、ディスクＤがターンテーブル５５にクランプされて回転駆動されるときには、駆動ピン６３が逃げ部６２ｂ内へ移動し、駆動ピン６３による駆動部材６２の拘束が解除され、駆動部材６２が支持されているユニット支持ベース４１がダンパー４８で弾性支持された状態となる。
【００５８】
図３と図４に示すように、ユニット支持ベース４１には固定ガイド６５が固定されて設けられている。この固定ガイド６５は合成樹脂材料などで形成されており、その外周縁が案内部６５ａとなっている。この案内部６５ａは、駆動ユニット５０の回動支点である支持軸５２の軸芯に曲率中心を有する円弧軌跡に沿って形成されている。
【００５９】
駆動ユニット５０の駆動ベース５１の前端５１ｃには突出部６６が固定され、この突出部６６の先部にローラ６７が回転自在に支持されている。図３に示すように、駆動ユニット５０がユニット支持ベース４１の上に位置しているときは、ローラ６７が固定ガイド６５の案内部６５ａに係合している。ローラの周囲には断面がＶ字状の溝が形成され、この溝が案内部６５ａに転動自在に嵌合することにより、図３に示すように退避位置にある駆動ユニット５０の自由端側の上下へのがたつきが抑制される。
【００６０】
筐体２の前面３の内側では、ユニット支持ベース４１上に可動ガイド７１が設けられている。この可動ガイド７１は、ユニット支持ベース４１に固定された軸７２に回動自在に支持されている。可動ガイド７１は金属板または合成樹脂板で形成されているものであり、筐体２の内方に向く側縁部が円弧状の案内部７１ａとなっている。また、図３に示すように、可動ガイド７１の自由端側には、前記案内部７１ａに連続する保持凹部７１ｂが形成されている。
【００６１】
図４に示すように、筐体２の右側面５の内側では、ユニット支持ベース４１上に２つのリンク部材７３，７４が互いに連結されて且つ摺動自在に設けられている。前記駆動部材６２がＹ２方向へ移動していると、この駆動部材６２によって２つのリンク部材７３，７４が動作させられ、図３に示すように、可動ガイド７１が、ディスク収納領域２０内のディスクＤの外周縁から外れて筐体２の前面３に接近する退避位置に設定されている。
【００６２】
駆動部材６２がＹ１方向へ移動すると、この駆動部材６２によりリンク部材７３，７４が動作させられて、可動ガイド７１が図３に示す退避位置から時計方向へ回動する。このとき、可動ガイド７１は、案内部７１ａが支持軸５２の軸芯を中心とする円弧軌跡に一致するように設定される。そして退避位置から時計方向へ回動する駆動ユニット５０の前端に設けられたローラ６７が、固定ガイド６５の案内部６５ａから可動ガイド７１の案内部７１ａに受け渡され、ローラ６７の外周の溝が案内部７１ａに係合して、駆動ユニット５０の自由端側が上下へのがたつきを規制されながら案内部７１ａに沿って移動する。そして、図４に示すように、駆動ユニット５０が駆動位置に至ると、可動ガイド７１がさらに時計方向へ回動して、可動ガイド７１の先端の保持凹部７１ｂによってローラ６７が保持される。
【００６３】
図１（Ｂ）および図５、図６に示すように、筐体２内には移送ユニット８０が設けられている。移送ユニット８０にはユニット枠８１が設けられ、このユニット枠８１内にローラ軸８２が回動自在に支持され、このローラ軸８２には、その軸方向に間隔を空けて２つの移送ローラ８３，８４が設けられている。図１（Ａ）に示すように、ユニット枠８１内には、移送ローラ８３，８４の上方に対向する挟持部材８５が設けられ、移送ローラ８３，８４と挟持部材８５とがばねの力で圧接されている。
【００６４】
図５と図６に示すように、筐体２内では、左側面６の内側に支持軸８６が固定されており、ユニット枠８１のＸ１側の端部が支持軸８６に回動自在に支持されている。そして、図示しないユニット切換え機構によって、移送ユニット８０は、図６に示すように前面３の内側に接近する待機位置から、図５に示すように反時計方向へ回動した移送動作位置へ回動させられる。移送ユニット８０は、図６に示す待機位置にあるとき、ディスク収納領域２０内に設けられたディスクＤの外周縁から離れており、図５に示す移送動作位置にあるとき、その一部がディスク収納領域２０内に入り込む。また、図１（Ａ）に示すように、移送ユニット８０は、挿入口１１から挿入されたディスクＤを、移送ローラ８３，８４と挟持部材８５とで挟持できる高さに設定されている。
【００６５】
図３と図４に示すように、筐体２の底面８上にはローラモータ８７が設けられ、このローラモータ８７の動力は減速歯車８８で減速されて、支持軸８６に回転自在に支持された伝達歯車８９に与えられる。さらにこの伝達歯車８９の回転力がローラ軸８２に与えられて、移送ローラ８３，８４が回転駆動される。よって、移送ユニット８０の回動動作とは独立して、ローラモータ８７で移送ローラ８３，８４を回転させることが可能である。
【００６６】
次に、このディスク収納型ディスク装置１の動作を説明する。
ディスク収納領域２０内に設けられた複数の支持トレイ２１では、図６に示すように、保持部材２２が、引っ張りコイルばね２６ａにより反時計方向へ回動させられ、保持部材２３，２４が、引っ張りコイルばね２６ｂ，２６ｃによって時計方向へ回動させられている。よって、支持トレイ２１にディスクＤが供給されている場合には、このディスクＤの外周縁が、支持トレイ２１と各保持部材２２，２３，２４に形成された保持爪２２ａ，２３ａ，２４ａとの間で保持されている。
【００６７】
また、支持トレイ２１にディスクＤが供給されていない場合には、前記保持部材２２が反時計方向へ回動させられ、保持部材２３が時計方向へ回動させられている点で、ディスクＤを保持している支持トレイ２１と同じであるが、ディスクＤが供給されていない支持トレイ２１では、図５に示すように保持部材２４が、図６に示すディスク保持位置よりもやや時計方向へ回動させられている。
【００６８】
ディスク収納領域２０内に位置する支持トレイ２１を選択位置（ａ）へ移動させるときには、図３に示すように、駆動ユニット５０を退避位置が移動させられ、且つ移送ユニット８０が図６に示す待機位置へ移動させられる。この状態で、天井面９に設けられたリング状歯車が回転し、選択軸３１，３２，３３が同期して回転させられる。そして、各選択軸３１，３２，３３に設けられた選択溝３５によって、支持トレイ２１が上下に移動させられ、選択しようとする支持トレイ２１が選択位置（ａ）で停止させられる。
【００６９】
図３に示すように、駆動ユニット５０が退避位置にあるとき、図１（Ｂ）に示すように、前面３の内側に設けられた拘束部材４６がＸ２方向へ移動しており、ユニット支持ベース４１の前端に設けられた拘束軸４４，４４が、拘束穴４７，４７の下降拘束部４７ａ，４７ａに保持されている。筐体２の後側面４の内側に設けられた拘束部材４５もＸ２方向へ移動しており、ユニット支持ベース４１の後端に設けられた拘束軸４３も同様に、拘束部材４５の下降拘束部に保持されている。よって、ユニット支持ベース４１は底面８に接近するように下降させられて且つ拘束されている。
【００７０】
ディスクを挿入するときには、選択軸３１，３２，３３が駆動されて、ディスクＤを保持していない空の支持トレイ２１が選択位置（ａ）へ移動させられる。空の支持トレイ２１が選択位置（ａ）で停止すると、図４に示すように、ユニット支持ベース４１の下面に設けられた駆動部材６２がＹ１方向へ移動し、可動ガイド７１が時計方向へ回動してローラ６７を案内できる位置で停止する。これと併行して、駆動ユニット５０が退避位置から時計方向へ回動し、ローラ６７が固定ガイド６５から可動ガイド７１に受け渡され、ローラ６７が可動ガイド７１の案内部７１ａを転動する。そして、駆動ユニット５０が図４と図５に示す駆動位置に至ると、可動ガイド７１がさらに時計方向へ回動し、可動ガイド７１の保持凹部７１ｂでローラ６７が保持される。
【００７１】
挿入口１１からディスクＤが挿入されたことが図示しない挿入検知部で検知されると、ローラモータ８７が始動して、移送ユニット８０内の移送ローラ８３，８４が搬入方向へ駆動され、ディスクＤは移送ローラ８３，８４と挟持部材８５とで挟持されて筐体２内に向けて搬入される。ディスクＤがある程度搬入されると、移送ユニット８０が、図６に示す待機位置から図５に示す移送動作位置へ回動し、ディスクＤが選択位置（ａ）にある支持トレイ２１に向けて移送される。図５に示すように、このとき挿入口１１に近い位置にある保持部材２２は、時計方向へ回動してディスクＤの搬入を妨げない姿勢となっている。
【００７２】
ディスクＤが、選択位置（ａ）にある支持トレイ２１に供給されると、保持部材２４がディスクＤに押されて反時計方向へ回動し、保持部材２４の検知部２４ｂが装填検知部２８から外れて、装填検知部２８の検知出力がＯＮに切換えられる。
【００７３】
装填検知部２８の検知出力がＯＮになると、図１（Ｂ）に示す拘束部材４６がＸ１方向へ移動し、拘束軸４４，４４が拘束穴４７，４７の持ち上げ部４７ｂ，４７ｂに案内される。同様に、後方に位置する拘束部材４５もＸ１方向へ移動し、拘束軸４３も拘束部材４５の持ち上げ部によって持ち上げられる。よって、ユニット支持ベース４１が持ち上げられて、駆動ユニット５０に設けられたターンテーブル５５の凸部５５ｂが、選択位置（ａ）の支持トレイ２１に保持されたディスクＤの中心穴Ｄａに下から入り込む。さらにターンテーブル５５に設けられたクランプ機構が動作し、クランプ爪５５ｃがターンテーブル５５の凸部５５ｂから突出し、ディスクＤの中心穴Ｄａの周囲部分が、ターンテーブル５５のフランジ部５５ａとクランプ爪５５ｃとで挟持される。
【００７４】
その後、移送ローラ８３，８４が搬入方向へ回転しながら、移送ユニット８０が、図５に示す移送動作位置から図６に示す待機位置へ復帰し、移送ローラ８３，８４がディスクＤから離れる。さらに、図１（Ｂ）に示す拘束部材４６がＸ１方向へ移動し、拘束軸４４，４４が拘束穴４７の逃げ部４７ｃ，４７ｃに導かれて、拘束軸４４，４４の拘束が解除される。同様に、拘束部材４５がＸ１方向へ移動して、拘束軸４３の拘束が解除される。これにより、ユニット支持ベース４１はダンパー４８で弾性支持された状態となる。また、これと同時に、図５に示す保持部材２３と保持部材２４が反時計方向へ回動させられ、支持トレイ２１でのディスクＤの保持が解除される。
【００７５】
よって、ターンテーブル５５にクランプされたディスクＤは、選択位置（ａ）にある支持トレイ２１から下方へ離されてターンテーブル５５と共に回転駆動できる状態となる。
【００７６】
回転駆動を終了したディスクＤを排出するときには、ターンテーブル５５の回転を停止させ、拘束部材４５，４６をＸ２方向へ移動させてユニット支持ベース４１を持ち上げ、ターンテーブル５５にクランプされているディスクＤを選択位置（ａ）にある支持トレイ２１の支持面２１ｅに押し付ける。そして、移送ローラ８３，８４を排出方向へ回転させながら、移送ユニット８０を図５に示す移送動作位置へ移動させ、ディスクＤを移送ローラ８３，８４と挟持部材８５とで挟持させる。
【００７７】
その後、ターンテーブル５５でのディスクＤのクランプを解除させるとともに、保持部材２３と保持部材２４を時計方向へ回動させて、保持爪２３ａと保持爪２４ａとで、支持トレイ２１の支持面２１ｅに設置されたディスクＤが保持される。さらに拘束部材４５，４６をＸ２方向へ移動させ、拘束軸４４，４４を、拘束穴４７，４７の下降拘束部４７ａ，４７ａに保持させ、同様に拘束軸４３も下降拘束部に保持させて、ターンテーブル５５の凸部５５ｂをディスクＤの中心穴Ｄａから下方へ抜き出す。そして、移送ローラ８３，８４を搬出方向へ回転させ、且つ移送ユニット８０を図６に示す待機位置へ移動させて、ディスクＤを挿入口から排出させる。
【００７８】
なお、ディスク収納領域２０内に位置している支持トレイ２１に保持されているディスクＤを回転駆動するときには、駆動ユニット５０が退避位置にあり、移送ユニット８０が待機位置にある状態で、選択軸３１，３２，３３を駆動して、ディスクＤを保持している支持トレイ２１を選択位置（ａ）に移動させる。そして、駆動ユニット５０を回動させて、選択位置（ａ）の支持トレイ２１と、その下に隣接する支持トレイ２１との空間に移動させ、図４に示す駆動位置に設定する。
【００７９】
図５と図６に示すように、駆動ユニット５０が、駆動位置へ向けて回動するとき、それぞれの支持トレイ２１に設けられた第１の支持片２１１と第２の支持片２１２は、駆動ユニット５０が回動する領域の外に位置している。したがって、図７に示すように、駆動ユニット５０が選択位置（ａ）にある支持トレイ２１の下に入り込むときに、選択位置（ａ）の支持トレイ２１の下側に隣接する他の支持トレイ２１の第１の支持片２１１と第２の支持片２１２が、駆動ユニット５０に当たることはない。
【００８０】
そして、ユニット支持ベース４１を持ち上げて、ターンテーブル５５の凸部５５ｂを、支持トレイ２１に保持されたディスクＤの中心穴Ｄａに入り込ませ、クランプ爪５５ｃを突出させて、ターンテーブル５５にディスクＤをクランプする。また、保持部材２２を時計方向へ回動させ、保持部材２３，２４を反時計方向へ回動させて保持爪２２ａ，２３ａ，２４ａによるディスクの保持を解除する。さらに、拘束部材４５と４６をＸ方向へ移動させて、拘束軸４３，４４に対する拘束を解除させ、ユニット支持ベース４１をダンパー４８で弾性支持された状態に設定する。
【００８１】
図７は、６枚の支持トレイ２１の位置関係を示している。図７では、最も底面８に近い位置にある最下段の支持トレイから最も天井面９に近い位置にある最上段の支持トレイまでを、下から順に２１Ａ，２１Ｂ，２１Ｃ，２１Ｄ，２１Ｅ，２１Ｆで示している。また、それぞれの支持トレイに支持されるディスクを下から順にＤ１，Ｄ２，Ｄ３，Ｄ３，Ｄ５，Ｄ６で示している。
【００８２】
図７では、下から３番目の支持トレイ２１Ｃが選択位置（ａ）に停止しており、この支持トレイ２１Ｃが選択支持トレイである。選択溝３５の下方の密ピッチ部３５ｂには、最下段の支持トレイ２１Ａと下から２番目の支持トレイ２１Ｂが位置しており、両支持トレイ２１Ａと２１Ｂは互いに接近している。図７の状態では、支持トレイ２１Ｂが、選択支持トレイ２１Ｃの下側に隣接して対向する第１の隣接トレイ２１Ｂである。選択溝３５の上方の密ピッチ部３５ａには、下から４番目から最上段までの３個の支持トレイ２１Ｄ，２１Ｅ，２１Ｆが位置しており、この３個の支持トレイ２１Ｄ，２１Ｅ，２１Ｆは互いに接近している。図７の状態では、支持トレイ２１Ｄが、選択支持トレイ２１Ｃの上方に隣接して対向する第２の隣接支持トレイである。
【００８３】
選択支持トレイ２１Ｃの支持面２１ｅとその下に位置する第１の隣接支持トレイ２１Ｂの対向面２１ｆとの間が第１の空間であり、その高さ方向の間隔はＨ１である。選択支持トレイ２１Ｃの対向面２１ｆとその上に位置する第２の隣接支持トレイ２１Ｄの支持面２１ｅとの間が第２の空間であり、その高さ方向の間隔はＨ２である。第１の空間の間隔Ｈ１は第２の空間の間隔Ｈ２よりも広い。また、下方の密ピッチ部３５ｂに位置する支持トレイ２１Ａと支持トレイ２１Ｂとの対向間隔、および上方の密ピッチ部３５ａに位置する支持トレイ２１Ｄ，２１Ｅ，２１Ｆの対向間隔は、いずれも第２の空間よりも十分に狭くなっている。
【００８４】
図７では、駆動ユニット５０が駆動位置にあり、この駆動ユニット５０は、選択支持トレイ２１Ｃと第１の隣接支持トレイ２１Ｂとの間の第１の空間内に設置されている。そして、選択支持トレイ２１Ｃの保持部材２２，２３，２４が保持解除位置に回動してディスクＤ３の保持が解除され、ディスクＤ３が駆動ユニット５０のターンテーブル５５にクランプされている。また、拘束部材４５，４６によるユニット支持ベース４１の拘束が解除されて、ユニット支持ベース４１はダンパー４８で弾性支持されている。
【００８５】
図７に示すように、選択支持トレイ２１Ｃに形成された第１の支持片２１１の先端部は、その上方に位置する第２の隣接支持トレイ２１Ｄに支持されたディスクＤ４を下方から支持している。さらに第１の支持片２１１の折曲部２１１ｂがディスクＤ４の外周縁に対向している。
【００８６】
第２の隣接支持トレイ２１Ｄに支持されているディスクＤ４は、支持領域Ｒから突出している部分が、第１の支持片２１１で下から支えられている。そのため、ディスクＤ４は、支持領域Ｒから突出している部分が下方へ傾くことがなく、水平姿勢に維持することができる。
【００８７】
その結果、ディスクＤ４は、その下でターンテーブル５５で回転駆動されているディスクＤ３に当たることがない。また、ディスクＤ３を筐体２の外へ排出するときには、ディスクＤ３が選択支持トレイ２１Ｃの支持面２１ｅに支持されている状態で、図５に示すように、移送ユニット８０が反時計方向へ回動して、移送ローラ８３，８４と挟持部材８５とでディスクＤ３が挟持されるが、このとき、その上に位置するディスクＤ４が水平姿勢であるため、移送ユニット８０が、ディスクＤ４の外周縁に当たることなく移送動作位置へ回動できる。
【００８８】
さらに、第１の支持片２１１の折曲部２１１ｂが、ディスクＤ４の外周縁に対向しているため、ディスクＤ４が第２の隣接支持トレイ２１Ｄから外れる方向へ動くことを防止できる。
【００８９】
上方の密ピッチ部３５ａに位置する支持トレイ２１Ｅとその下に位置する第２の隣接支持トレイ２１Ｄとはその間隔が狭められているため、支持トレイ２１Ｅの支持面２１ｅに支持されたディスクＤ５が、第２の隣接支持トレイ２１Ｄに設けられた第１の支持片２１１の先部に当たって、その第１の支持片２１１が下向きに弾性変形させられる。その反力によって、ディスクＤ５は上方に押し上げられ、また折曲部２１１ｂが、ディスクＤ５の外周縁に対向する。したがって、支持トレイ２１Ｅに支持されたディスクＤ５もこの支持トレイ２１Ｅに水平姿勢を維持して保持される。
【００９０】
また、図９（Ａ）に示すように、第１の支持片２１１が、下向きに凸となるように湾曲させられ、且つ折曲部２１１ｂが支持トレイ２１の対向面２１ｆよりも上方に位置するように構成してもよい。この場合、選択溝３５の密ピッチ部３５ａに位置する第２の隣接支持トレイ２１Ｄに設けられた第１の支持片２１１によって、その上のディスクＤ５の外周縁が下から支えられるとともに、ディスクＤ５に当たって下向きに撓んだ第１の支持片２１１によって、第２の隣接支持トレイ２１Ｄに支持されているディスクＤ４が下向きに押し下げられる。第１の支持片２１１によって押し下げられたディスクＤ４は、保持部材２２の保持爪２２ａと保持部材２３の保持爪２３ａに押し付けられるようになり、第２の隣接支持トレイ２１Ｄの下でディスクＤ４が確実に保持される。
【００９１】
上記の第１の支持片２１１によるディスクの支持動作は、最上部の支持トレイ２１Ｆの支持面２１ｅに支持されているディスクＤ６とその下の支持トレイ２１Ｅとの関係においても同じである。また、選択軸３５の下方の密ピッチ部３５ｂに位置している最下段の支持トレイ２１Ａとその上に位置するディスクＤ２との関係においても同じである。
【００９２】
なお、最下段の支持トレイ２１Ａの支持面２１ｅに支持されているディスクＤ１は、その下に支持トレイが位置していないため、第１の支持片で下から支えることはできない。しかし、支持トレイ２１Ａに設けられた第１の支持片２１１を、図９（Ａ）（Ｂ）に示す湾曲形状にしておくことによって、この支持トレイ２１Ａに設けられた第１の支持片２１１によってディスクＤ１を下向きに押さえることができ、ディスクＤ１も安定して保持することができる。
【００９３】
一方、選択支持トレイ２１Ｃとその下に位置する第１の隣接支持トレイ２１Ｂとの間隔は、上下に広げられているため、第１の隣接支持トレイ２１Ｂに設けられた第１の支持片２１１は、ターンテーブル５５にクランプされているディスクＤ３に当たることがない。
【００９４】
図８は、選択溝３５の上方の密ピッチ部３５ａに位置している３個の支持トレイ２１Ｄ，２１Ｅ，２１Ｆの第２の支持片２１２の支持動作を示している。
【００９５】
図８に示すように、選択位置（ａ）にある選択支持トレイ２１Ｃ以外の支持トレイは、その対向間隔が狭められて対向している。これは、図７に示すように、選択溝３５の下方の密ピッチ部３５ｂに位置する支持トレイ２１Ａと支持トレイ２１Ｂとの関係においても同じである。
【００９６】
このように、選択位置（ａ）以外で互いに接近する支持トレイ２１Ｄ，２１Ｅ，２１Ｆでは、支持トレイ２１に設けられた第２の支持片２１２によって、その上のディスクＤが下から押圧され、このディスクＤが支持トレイ２１の支持面２１ｅの支持領域Ｒに密着させられる。ディスクが支持面２１ｅに密着させられることにより、支持トレイ２１の下面にディスクＤが確実に保持される。
【００９７】
このように、ディスクＤは第１の支持片２１１と第２の支持片２１２とで支持されることにより、車体振動などが作用したときのディスクＤのがたつきを防止でき、ラットルノイズを低減できる。
【００９８】
なお、第１の支持片２１１と第２の支持片２１２は、いずれか一方のみが設けられているものであってもよい。
【図面の簡単な説明】
【００９９】
【図１】本発明の１実施の形態のディスク収納型ディスク装置を筐体の前面から見た正面図であり、（Ａ）は主に筐体内の移送ユニットを示し、（Ｂ）は主に支持トレイと支持トレイ選択手段および駆動ユニットを示す。
【図２】図２は支持トレイを示すものであり、（Ａ）は平面図、（Ｂ）は（Ａ）の支持トレイをＢ方向から見たときの側面図、
【図３】駆動ユニットが退避位置にある状態を示すディスク収納型ディスク装置の透視平面図、
【図４】駆動ユニットが駆動位置にある状態を示すディスク収納型ディスク装置の透視平面図、
【図５】ディスク搬入動作を示すディスク収納型ディスク装置の透視平面図、
【図６】支持トレイにディスクが保持された状態を示すディスク収納型ディスク装置の透視平面図、
【図７】６枚の支持トレイにディスクが支持された状態を示すものであり、図６をＶＩＩ矢視方向から見た部分側面図、
【図８】上方に隣接している支持トレイを示すものであり、図６をＶＩＩＩ矢視方向から見た部分側面図、
【図９】第１の支持片の変形例を示す側面図、
【符号の説明】
【０１００】
１  ディスク収納型ディスク装置
２  筐体
３  前面
４  後側縁
５  右側面
６  左側面
８  底面
９  天井面
１１  挿入口
２０  ディスク収納領域
２１  支持トレイ
２２，２３，２４  保持部材
２２ａ，２３ａ，２４ａ  保持爪
３１，３２，３３  選択軸
４１  ユニット支持ベース
４５，４６  拘束部材
４８  ダンパー
５０  駆動ユニット
５１  駆動ベース
５２  支持軸
５３  回転駆動部
５４  スピンドルモータ
５５  ターンテーブル
５６  光ヘッド
５９  スレッドモータ
６５  固定ガイド
７１  可動ガイド
８０  移送ユニット
８３，８４  移送ローラ
２１１  第１の支持片
２１１ｂ  折曲部
２１２  第２の支持片
Ｄ  ディスク
Ｒ  支持領域
【図１】
2007102906.tif 000003
【図２】
2007102906.tif 000004
【図３】
2007102906.tif 000005
【図４】
2007102906.tif 000006
【図５】
2007102906.tif 000007
【図６】
2007102906.tif 000008
【図７】
2007102906.tif 000009
【図８】
2007102906.tif 000010
【図９】
2007102906.tif 000011